(57)【特許請求の範囲】
【請求項１】
電源からの給電により被検ガスの濃度を検知するガス検知手段と、該ガス検知手段が検知した前記濃度に基づいて警報状態であるか否かを判定する判定手段と、警報音と表示にて警報を行う警報部への前記給電を制御する制御手段とを備え、前記判定手段が前記警報状態であると判定すると、前記制御手段は前記警報部に前記給電させることで警報を行うガス警報装置において、
前記判定手段の前記警報状態であるとの判定に応じて前記電源から間欠的に給電が行われ、該給電に応じた警報信号を外部機器に出力する外部出力手段をさらに備え、
前記警報部は、通常時に装置の通電状態を点灯して示す表示手段と、前記警報状態時に前記警報音を発する警報手段と、を有して構成しており、
前記制御手段は、前記判定手段が前記警報状態であると判定すると、前記表示手段が点灯と消灯を繰り返すように前記表示手段への前記給電を制御し、かつ、前記表示手段に対する前記給電が行われていない時に前記警報手段に前記給電が行われるように制御するとともに、
前記判定手段は、前記外部出力手段に対する前記給電が行われていないときに前記判定を行う
ことを特徴とするガス警報装置。
【発明の詳細な説明】
【０００１】
【発明の属する技術分野】
本発明は、ガス警報装置に関し、より詳細には、電源からの給電により被検ガスの濃度を検知するガス検知手段と、該ガス検知手段が検知した前記濃度に基づいて警報状態であるか否かを判定する判定手段と、警報音と表示にて警報を行う警報部への前記給電を制御する制御手段とを備え、前記判定手段が前記警報状態であると判定すると、前記制御手段は前記警報部に前記給電させることで警報を行うガス警報装置に関するものである。
【０００２】
【従来の技術】
家庭の台所等に常設して使用されるガス警報装置は、規定濃度値以上のガス濃度をガス検知手段にて検知して警報状態となると、ＬＥＤ等の警報用表示器によって警報表示するととともに、ブザー等の警報器によって警報音を発するようになっている。このような従来のガス警報装置は、装置が通電状態であるか否かを示す電源表示を行うＬＥＤ等の電源用表示器と、ガスメータ等との通信を行うフォトカプラを有する外部出力回路とをさらに有して構成していた。
【０００３】
この種のガス警報装置においては、例えば商用交流電源１００Ｖを１次電圧とするトランスを用い、通常時はトランスの２次側出力にてガス検知手段及び電源用表示器を直接駆動していた。そして、ガス検知手段にて検知して装置が警報状態になると、トランスの２次側出力によって警報用表示器と外部出力回路をさらに直接駆動するようにしていた。
【０００４】
【発明が解決しようとする課題】
しかしながら、上述した従来のガス警報装置は、警報状態時に警報用表示器と外部出力回路とがさらに駆動されると、トランスの負荷が変動するためにガス検知手段のガスセンサに印加される電圧が変化していた。ガス検知手段の出力は、ガスセンサに印加される電圧の変化に伴って変化してしまうことから、警報状態中にガス検知手段の出力が大きく変化してしまうと、警報状態にあるにも係わらず、警報状態が解除されてしまう可能性を従来のガス警報装置は有していた。
【０００５】
よって本発明は、上述した問題点に鑑み、警報状態時におけるガス検出手段への印加電圧の変動を回避することができるガス警報装置を提供することを課題としている。
【０００６】
【課題を解決するための手段】
上記課題を解決するため本発明によりなされた請求項１記載のガス警報装置は、図１の基本構成図に示すように、電源からの給電により被検ガスの濃度を検知するガス検知手段２と、該ガス検知手段２が検知した前記濃度に基づいて警報状態であるか否かを判定する判定手段４ａ１と、警報音と表示にて警報を行う警報部７への前記給電を制御する制御手段４ａ２とを備え、前記判定手段４ａ１が前記警報状態であると判定すると、前記制御手段４ａ２は前記警報部７に前記給電させることで警報を行うガス警報装置において、前記判定手段４ａ１の前記警報状態であるとの判定に応じて前記電源から間欠的に給電が行われ、該給電に応じた警報信号を外部機器に出力する外部出力手段６をさらに備え、前記警報部７は、通常時に装置の通電状態を点灯して示す表示手段７ａと、前記警報状態時に前記警報音を発する警報手段７ｂと、を有して構成しており、前記制御手段４ａ２は、前記判定手段４ａ１が前記警報状態であると判定すると、前記表示手段７ａが点灯と消灯を繰り返すように前記表示手段７ａへの前記給電を制御し、かつ、前記表示手段７ａに対する前記給電が行われていない時に前記警報手段７ｂに前記給電が行われるように制御するとともに、前記判定手段４ａ１は、前記外部出力手段６に対する前記給電が行われていないときに前記判定を行うことを特徴とする。
【０００７】
上記請求項１に記載した本発明のガス警報装置によれば、判定手段４ａ１によって警報状態であると判定された場合、点灯させるために表示手段７ａに対して給電しているときは、警報手段７ｂに対する給電が停止され、また、消灯させるために表示手段７ａに対する給電が停止されるときは、警報手段７ｂに対して給電するように、制御手段４ａ２によって電源から警報部７に対する給電が制御される。そして、判定手段４ａ１によって警報状態であるとの判定され、この判定結果に応じて外部出力手段６に対する給電が間欠的に行われると、該給電が行われていないときのみ、ガス検知手段２が検出した濃度に基づいて警報状態であるか否かの判定が判定手段４ａ１によって行われる。
【０００８】
よって、警報状態時に警報部７の表示手段７ａと警報手段７ｂとによる警報を行っても、表示手段７ａに給電しているときは警報手段７ｂに対する給電を停止し、かつ、表示手段７ａに給電していないときは警報手段７ｂに対する給電を行うように制御しているので、装置の通常時に表示手段７ａを点灯しているときとほぼ同一の消費電力にて、表示と警報音による警報を警報部７にて行うことができる。従って、警報時であってもガス警報装置における通常時の消費電力にて表示と警報音による警報を行うことができるので、ガス検知手段２と警報部７とを同一の電源から給電していても、警報動作に応じてガス検知手段２に印加される電圧が変化することを回避することができるため、警報状態における濃度の検知を正確に行うことができる。また、電源からの間欠的な給電によって警報信号を外部機器に出力する装置の場合、警報信号の出力時は通常時よりも消費電力が増えるが、たとえガス検知手段２に印加される電圧が変化しても、判定手段４ａ１はこのとき警報状態であるか否かの判定を行わないので、ガス検知手段２が検知した正確な濃度に対して判定を行うこととなり、正確に警報状態を検出することができる。従って、警報信号の出力期間中における被検ガスの濃度の検知を正確に行うことができる。
【００１０】
【発明の実施の形態】
以下、本発明に係るガス警報装置の一実施の形態を、図２〜図６の図面を参照して説明する。
【００１１】
ここで、図２は本発明に係るガス警報装置の概略構成の一例を示す構成図であり、図３は図２のＣＰＵが行う処理概要の一例を示すフローチャートであり、図４は図２のＣＰＵが行う警報タスクの処理概要の一例を示すフローチャートであり、図５は図２のＣＰＵが行う通報タスクの処理概要の一例を示すフローチャートであり、図６はガス警報装置の動作概要を説明するためのタイミングチャートである。
【００１２】
図２において、１は例えば商用交流電源ＡＣ１００Ｖを１次電圧とするトランスを示し、このトランス１の２次側には降圧した交流を電源とするガス検知部（ガス検知手段に相当）２が設けられている。このガス検知部２は例えば交流ブリッジであり、その一辺に可燃性ガスに触れることにより電気抵抗が変化する接触燃焼式ガスセンサが接続され、他の辺には抵抗が接続されている。
【００１３】
電源入力端子間にはバランス調整用の半固定抵抗からなるボリュームが接続されている。なお、接触燃焼式ガスセンサの一方は実際に検知ガスにさらされる検知素子、他方は検知ガスから遮断されてもっぱら温度補償などを行う基準素子として使用される。そして、ガス検知部２は、検知素子としての一方の接触燃焼式ガス検出素子が検知する被検ガスの濃度を示すセンサ信号を出力している。
【００１４】
また、トランス１の２次側にはダイオードブリッジによる全波整流回路（以降、整流回路という）３がさらに設けられ、整流回路３の整流出力は、コンデンサによって平滑し、ツェナーダイオードで安定化した電力として、μＣＯＭ４の電源ポートＶcc、切替回路５、並びに外部出力回路６に入力している。
【００１５】
ガス検知部２には、予め定められたプログラムに従って動作するマイクロコンピュータ（μＣＯＭ）４接続している。μＣＯＭ４は、周知のように、予め定めたプログラムに従って各種の処理や制御などを行う中央演算処理装置（ＣＰＵ）４ａ、ＣＰＵ４ａのためのプログラム等を格納した読み出し専用のメモリであるＲＯＭ４ｂ、ガス警報装置が監視中、警報中、通報中などの装置状態を示す状態情報、ガス検知部２から取り込んだセンサ情報等の各種のデータを格納するとともにＣＰＵ４ａの処理作業に必要なエリアを有する読み出し書き込み自在のメモリであるＲＡＭ４ｃ等を有して構成している。
【００１６】
μＣＯＭ４はさらに、入力ポートＩ、出力ポートＯ1、Ｏ2を有する。入力ポートＩ1には、ガス検知部２が出力したセンサ出力が増幅器で増幅された後に平滑化されて入力されている。また、出力ポートＯ1には、整流回路３から入力される電力をμＣＯＭ４から入力される制御信号に対応するドライバに供給する切替回路５を接続しており、この切替回路５は複数のスイッチ回路等を有して構成している。
【００１７】
μＣＯＭ４の出力ポートＯ2には、ガスメータなどの外部機器に警報信号を出力する外部出力回路（外部出力手段に相当）６を接続しており、ＮＣＵ（Network Control Unit）などが用いられる。この外部出力回路６は、整流回路３を介して入力される電力によって駆動されるフォトカプラ（不図示）を有している。このフォトカプラがμＣＯＭ４から入力されるＯＮ信号によってＯＮされることで外部出力回路６はＯＮ（メーク）状態となり、また、μＣＯＭ４から入力されるＯＦＦ信号によってフォトカプラがＯＦＦされることでＯＦＦ（ブレーク）状態となる。この外部出力回路６の状態が警報信号として、一対のポート６ａを介して接続される外部機器に出力される。
【００１８】
また、切替回路５には、警報表示と警報音によって警報を行う警報部７を接続している。警報部７は、ＬＥＤ等が用いられる表示部（表示手段に相当）７ａとブザー（警報手段に相当）７ｂとを有して構成しており、表示部７ａはＬＥＤ等が用いられる表示部ドライバ７ａ１、ブザー７ｂはブザードライバ７ｂ１をそれぞれ介して切替回路５に接続している。
【００１９】
切替回路５は、μＣＯＭ４から入力される点灯要求に応じて電力を表示部ドライバ７ａ１に供給することで表示部７ａを点灯させ、入力される消灯要求に応じて表示部ドライバ７ａ１への電力の供給を停止することで表示部７ａを消灯させている。同様に、切替回路５は、μＣＯＭ４から入力される鳴動要求に応じて電力をブザードライバ７ｂ１に供給することでブザー７ｂを鳴動させ、入力される停止要求に応じてブザードライバ７ｂ１への電力の供給を停止することでブザー７ｂの鳴動を停止させている。
【００２０】
次に、上述した構成においてＣＰＵ３ａが行う本発明に係る処理概要の一例を、図３のフローチャートを参照して説明する。
【００２１】
図３において、ガス警報装置の電源スイッチ（不図示）がＯＮ操作されて商用交流電源ＡＣ１００Ｖから給電されることでＣＰＵ３ａが起動され、ステップＳ１において、初期処理が実行されることで、ＲＡＭ３ｃの状態情報に監視中を示す情報が格納されるとともに、他の格納エリアに初期値が格納され、その後ステップＳ２に進む。
【００２２】
ステップＳ２において、表示部点灯処理が実行されることで、点灯要求が切替回路５に出力され、その後ステップＳ３に進む。この処理によって、切替回路５から表示部ドライバ７ａ１に電力が供給されて表示部７ａが点灯状態となる。
【００２３】
ステップＳ３において、外部出力回路６のフォトカプラがＯＦＦ状態であるか否かが判定される。外部出力回路６がＯＦＦ状態ではない、つまり、外部機器に警報信号を出力するために、外部出力回路６に電力を供給していると判定された場合は（ステップＳ３でＮ）、この判定処理を繰り返すことで、外部出力回路６に対する電力の供給が停止するのを待つ。一方、外部出力回路６がＯＦＦ状態ではある、つまり、外部出力回路６に電力を供給していないと判定された場合は（ステップＳ３でＹ）、ステップＳ４に進む。
【００２４】
ステップＳ４において、センサ信号取込処理が実行されることで、ガス検知部２が出力する被検ガスの濃度を示すセンサ信号がセンサ情報としてＲＡＭ４ｃに取り込まれ、その後ステップＳ５に進む。
【００２５】
ステップＳ５において、取り込んだセンサ情報がＲＯＭ４ｂに予め定められた規定濃度値を越えているか否かを判定することで、警報状態が発生しているか否かが判定される。センサ情報が規定濃度値以上である、つまり、警報状態が発生していると判定された場合は（ステップＳ５でＹ）、ステップＳ６に進む。
【００２６】
なお、以上の説明からも明らかなように、ステップＳ５の判定処理によってガス検知部２が検知した濃度の警報状態であるか否かを判定していることから、ステップＳ５が特許請求の範囲に記載の判定手段に相当する。従って、ＣＰＵ４ａが特許請求の範囲に記載の判定手段として機能している。
【００２７】
ステップＳ６において、ＲＡＭ４ｃに格納している状態情報が警報中であるか否かが判定されることで、後述する警報タスクが起動済であるか否かが判定される。警報タスクが起動済であると判定された場合は（ステップＳ６でＹ）、ステップＳ８に進む。一方、警報タスクが起動済ではないと判定された場合は（ステップＳ６でＮ）、ステップＳ７に進む。
【００２８】
ステップＳ７において、警報タスク起動処理が実行されることで、警報状態が発生しているときに、警報部７の表示部７ａとブザー７ｂに対する電力の供給を制御する警報タスクが起動され、ＣＰＵ４ａが内蔵する時計機能から時刻情報が取得され、この時刻情報が警報状態の発生した時刻を示す発生時刻情報としてＲＡＭ４ｃに格納され、その後ステップＳ８に進む。なお、警報タスクの処理の詳細については後述する。
【００２９】
ステップＳ８において、ＲＡＭ４ｃに格納している状態情報が通報中であるか否かが判定されることで、後述する通報タスクが起動済であるか否かが判定される。通報タスクが起動済であると判定された場合は（ステップＳ８でＹ）、ステップＳ３に戻り、装置が動作している間は一連の処理を繰り返すこととなる。一方、通報タスクが起動済ではないと判定された場合は（ステップＳ８でＮ）、ステップＳ９に進む。
【００３０】
ステップＳ９において、ＣＰＵ４ａが内蔵する時計機能から時刻情報が取得され、この時刻情報とＲＡＭ４ｃに格納している発生時刻情報との差が算出され、この算出結果がＲＯＭ４ｂに予め定められている所定時間（例えば、１分）以上であるか否かが判定されることで、警報状態が所定時間以上継続して発生しているか否かが判定される。警報状態が所定時間以上継続していないと判定された場合は（ステップＳ９でＮ）、ステップＳ３に戻り、装置が動作している間は一連の処理を繰り返すこととなる。一方、警報状態が所定時間以上継続していると判定された場合は（ステップＳ９でＹ）、ステップＳ１０に進む。
【００３１】
ステップＳ１０において、通報タスク起動処理が実行されることで、警報状態が所定時間以上継続して発生しているときに、外部出力回路６に対する電力の供給を制御することで外部機器に警報信号を出力させる通報タスクが起動され、その後ステップＳ３に戻り、装置が動作している間は一連の処理を繰り返すこととなる。なお、通報タスクの処理の詳細については後述する。
【００３２】
また、ステップＳ５でセンサ情報が規定濃度値以上ではない、つまり、警報状態が発生していないと判定された場合は（ステップＳ５でＮ）、ステップＳ１１に進む。
【００３３】
ステップＳ１１において、ＲＡＭ４ｃに格納している状態情報を参照して、警報タスクと通報タスクとの少なくとも一方が起動されているか否かが判定される。警報タスクと通報タスクとの双方が起動されていないと判定された場合は（ステップＳ１１でＮ）、テップＳ３に戻り、装置が動作している間は一連の処理を繰り返すこととなる。一方、警報タスクと通報タスクとの少なくとも一方が起動されていると判定された場合は（ステップＳ１１でＹ）、ステップＳ１２に進む。
【００３４】
ステップＳ１２において、終結要求処理が実行されることで、起動されているタスクに対して終結が要求され、ＲＡＭ４ｃの発生時刻情報がクリアされ、ＲＡＭ３ｃの状態情報に監視中を示す情報が格納され、その後ステップＳ３に戻り、装置が動作している間は一連の処理を繰り返すこととなる。
【００３５】
次に、上述した警報タスクの動作概要を、図４のフローチャートを参照して説明する
警報タスクは起動されると、図４に示すステップＳ２０において、初期処理が実行されることで、ＲＡＭ３ｃの状態情報に警報中を示す情報が格納されるとともに、他の格納エリアに初期値が格納され、その後ステップＳ２１に進む。
【００３６】
ステップＳ２１において、タイマＴ１スタート処理が実行されることで、指定された時間が経過するとタイムアウトするタイマＴ１が、ＲＯＭ４ｂに予め格納している警報時間（例えば、２．５秒）が指定されて起動され、その後ステップＳ２２に進む。
【００３７】
ステップＳ２２において、表示部消灯処理が実行されることで、切替回路５に対して消灯要求が出力され、その後ステップＳ２３に進む。そして、ステップＳ２において、ブザー鳴動処理が実行されることで、切替回路５に対して鳴動要求が出力され、その後ステップＳ２４に進む。このステップＳ２２〜Ｓ２３の一連の処理によって、切替回路５によって表示部ドライバ７ａ１に対する電力の供給が停止され、ブザードライバ７ｂに対する電力の供給が開始される。その結果、表示部７ａが消灯され、ブザー７ｂは鳴動される。
【００３８】
ステップＳ２４において、終結要求を受けているか否かが判定される。終結要求を受けていると判定された場合は（ステップＳ２４でＹ）、ステップＳ３１に進む。一方、終結要求を受けていないと判定された場合は（ステップＳ２４でＮ）、ステップＳ２５に進む。
【００３９】
ステップＳ２５において、タイマＴ１がタイムアウトしたか否かが判定される。タイマＴ１がタイムアウトしていないと判定された場合は（ステップＳ２５でＮ）、ステップＳ２４に戻り、終結要求の受信を監視するとともに、タイマＴ１がタイムアウトするのを待つ。一方、タイマＴ１がタイムアウトしていると判定された場合は（ステップＳ２５でＹ）、ステップＳ２６に進む。
【００４０】
ステップＳ２６において、タイマＴ１スタート処理が実行されることで、指定された時間が経過するとタイムアウトするタイマＴ１が、ＲＯＭ４ｂに予め格納している警報時間（例えば、２．５秒）が指定されて起動され、その後ステップＳ２７に進む。
【００４１】
ステップＳ２７において、表示部点灯処理が実行されることで、切替回路５に対して点灯要求が出力され、その後ステップＳ２８に進む。そして、ステップＳ８において、ブザー停止処理が実行されることで、切替回路５に対して停止要求が出力され、その後ステップＳ２９に進む。ステップＳ２７〜Ｓ２９の一連の処理によって、切替回路５によって表示部ドライバ７ａ１に対する電力の供給が開始され、ブザードライバ７ｂに対する電力の供給が停止される。その結果、表示部７ａが点灯され、ブザー７ｂは鳴動されない。
【００４２】
ステップＳ２９において、終結要求を受けているか否かが判定される。終結要求を受けていないと判定された場合は（ステップＳ２９でＮ）、ステップＳ３０に進む。そして、ステップＳ３０において、タイマＴ１がタイムアウトしたか否かが判定される。タイマＴ１がタイムアウトしていないと判定された場合は（ステップＳ３０でＮ）、ステップＳ２９に戻り、終結要求の受信を監視するとともに、タイマＴ１がタイムアウトするのを待つ。一方、タイマＴ１がタイムアウトしていると判定された場合は（ステップＳ３０でＹ）、ステップＳ２１に戻り、終結要求を受けるまで一連の処理を繰り返すこととなる。
【００４３】
また、ステップＳ２９で終結要求を受けていると判定された場合は（ステップＳ２９でＹ）、ステップＳ３１に進む。そして、ステップＳ３１で終結処理が実行されることで、表示部７ａに対する点灯要求と、ブザー７ｂに対する停止要求が切替回路５に出力されるとともに、タイマＴ１が停止され、処理が終了される。
【００４４】
次に、上述した通報タスクの動作概要を、図５のフローチャートを参照して説明する
通報タスクは起動されると、図５に示すステップＳ４０において、初期処理が実行されることで、ＲＡＭ３ｃの状態情報に通報中を示す情報が格納されるとともに、他の格納エリアに初期値が格納され、その後ステップＳ４１に進む。
【００４５】
ステップＳ４１において、タイマＴ２スタート処理が実行されることで、指定された時間が経過するとタイムアウトするタイマＴ２が、ＲＯＭ４ｂに予め格納している通報時間（例えば、５秒）が指定されて起動され、その後ステップＳ４２に進む。
【００４６】
ステップＳ４２において、外部出力回路ＯＮ処理が実行されることで、外部出力回路６にＯＮ信号が出力され、その後ステップＳ４３に進む。この処理によって、外部出力回路６のフォトカプラがＯＮ状態となることで、整流回路３から給電が開始されて外部出力回路６はＯＮ状態（メーク）となり、この状態が一対のポート６ａを介して接続される外部機器に警報信号として出力される。
【００４７】
ステップＳ４３において、終結要求を受けているか否かが判定される。終結要求を受けていると判定された場合は（ステップＳ４３でＹ）、ステップＳ４９に進む。一方、終結要求を受けていないと判定された場合は（ステップＳ４３でＮ）、ステップＳ４４に進む。
【００４８】
ステップＳ４４において、タイマＴ２がタイムアウトしたか否かが判定される。タイマＴ２がタイムアウトしていないと判定された場合は（ステップＳ４４でＮ）、ステップＳ４３に戻り、終結要求の受信を監視するとともに、タイマＴ２がタイムアウトするのを待つ。一方、タイマＴ２がタイムアウトしていると判定された場合は（ステップＳ４４でＹ）、ステップＳ４５に進む。
【００４９】
ステップＳ４５において、タイマＴ２スタート処理が実行されることで、指定された時間が経過するとタイムアウトするタイマＴ２が、ＲＯＭ４ｂに予め格納している通報時間（例えば、５秒）が指定されて起動され、その後ステップＳ４６に進む。
【００５０】
ステップＳ４６において、外部出力回路ＯＦＦ処理が実行されることで、外部出力回路６にＯＦＦ信号が出力され、その後ステップＳ４７に進む。この処理によって、外部出力回路６のフォトカプラがＯＮ状態からＯＦＦ状態に変化することで、整流回路３から給電が停止されて外部出力回路６はＯＦＦ状態（ブレーク）となり、外部機器に対するポート６ａを介しての出力が停止される。
【００５１】
ステップＳ４７において、終結要求を受けているか否かが判定される。終結要求を受けていないと判定された場合は（ステップＳ４７でＮ）、ステップＳ４８に進む。そして、ステップＳ４８において、タイマＴ２がタイムアウトしたか否かが判定される。タイマＴ２がタイムアウトしていないと判定された場合は（ステップＳ４８でＮ）、ステップＳ４７に戻り、終結要求の受信を監視するとともに、タイマＴ２がタイムアウトするのを待つ。一方、タイマＴ２がタイムアウトしていると判定された場合は（ステップＳ４８でＹ）、ステップＳ４１に戻り、終結要求を受けるまで一連の処理を繰り返すこととなる。
【００５２】
また、ステップＳ４７で終結要求を受けていると判定された場合は（ステップＳ４７でＹ）、ステップＳ４９に進む。そして、ステップＳ４９で終結処理が実行されることで、外部出力回路６にＯＦＦ信号が出力されるとともに。タイマＴ２が停止され、処理が終了される。
【００５３】
以上説明したように、警報タスクによって表示部７、通報タスクによって外部出力回路（外部出力手段）６に対する電力の供給を制御していることから、ＣＰＵ４ａが、特許請求の範囲に記載の制御手段として機能している。
【００５４】
次に、上述した構成による実施の形態の動作（作用）の一例を、図６のタイミングチャートを参照して説明する。
【００５５】
図６において、時間ｔ0でガス警報装置の電源が投入されると、ＣＰＵ４ａから切替回路に点灯要求が出力されることで、表示部ドライバ７ａ１に電力が供給されて表示部７ａが点灯される。この表示部７ａの点灯によって、ガス警報装置が通電状態であることを示している。その後、外部出力回路６に給電が行われていないと、ガス検知部２が出力するセンサ信号がセンサ情報としてＲＡＭ４ｃに取り込まれ、このセンサ情報に基づいて被検ガスの濃度が監視される。
【００５６】
時間ｔ1において、警報状態が検出されると、まず、最初の警報時間（例えば、２．５秒）の間は、表示部７ａが消灯され、ブザー７ｂが鳴動される。そして、次の警報時間の間は、表示部７ａが点灯され、ブザー７ｂは待機状態となる。そして、警報状態中は、表示部７ａとブザー７ｂが上述した動作を警報時間毎に繰り返すこととなる。その結果、警報状態においては、表示部７ａが点滅で表示されることになり、かつ、ブザー７ｂが鳴動、停止を繰り返すこととなる。
【００５７】
時間ｔ2において、警報状態が所定時間（例えば、１分）継続していると、ＣＰＵ４ａから外部出力回路６にＯＮ信号が出力されてフォトカプラがＯＮ状態に変化することで、給電が開始されて外部出力回路６がＯＮ状態（メーク）となり、この状態情報が警報信号としてポート６ａを介して外部機器に出力される。そして、外部出力回路６に所定時間毎（例えば、５秒毎）にＣＰＵ４ａからＯＮ信号、ＯＦＦ信号が繰り返し出力されることで、外部出力回路６は周期的にＯＮ状態とＯＦＦ状態が繰り返され、この状態情報が警報信号としてガスメータなどの外部機器に出力される。
【００５８】
その後、ガス警報装置は警報状態が解除されて通常状態されると、表示部７ａは常時点灯状態となり、給電が停止されてブザー７ｂと外部出力回路６はそれぞれ待機状態となる。
【００５９】
よって、時間ｔ0〜ｔ1の監視状態の間は、表示部７ａにのみ給電が行われているため、ガス警報装置における合計消費電力（表示部７ａとブザー７ｂと外部出力回路６との合計をいう）は、表示部７ａのみの消費電力が反映される。そして、時間ｔ1〜ｔ2の警報状態の間は、ブザー７ｂの鳴動が開始されるが、本発明では、ブザー７ｂを鳴動させているときは、表示部７ａを消灯させ、ブザー７ｂを停止させているときに表示部７ａを点灯させているので、表示部７ａとブザー７ｂに同時に電力が供給されることを防止している。その結果、ガス警報装置における合計消費電力は、警報状態となって警報部７にて警報表示が行われても監視状態のときとほぼ同一とすることができる。
【００６０】
また、時間ｔ2以降の通報状態の間は、警報信号の出力のために周期的に外部出力回路６に給電されるため、ガス警報装置における合計消費電力は警報信号の出力時に増加するが、この合計消費電力が増加した区間では、ガス検知部２からセンサ信号を取り込まないようにしているので、通報状態中にトランス１の負荷に変動が生じても、この変動中のセンサ信号は取り込まないため、正確に被検ガスの濃度を検知することができる。
【００６１】
以上説明したように本発明のガス警報装置によれば、警報状態時に警報部７の表示部（表示手段）７ａとブザー（警報手段）７ｂとによる警報を行っても、表示部７ａに給電しているときは警報手段７ｂに対する給電を停止し、かつ、表示手段７ａに給電していないときは警報手段７ｂに対する給電を行うように制御しているので、装置の通常時に表示手段７ａを点灯しているときとほぼ同一の消費電力にて、表示と警報音による警報を警報部７にて行うことができる。
【００６２】
よって、警報状態であってもガス警報装置における通常時の消費電力にて表示と警報音による警報を行うことができるので、ガス検知部（ガス検知手段）２と警報部７とを同一の電源から給電していても、警報動作に応じてガス検知手段２に印加される電圧が変化することを回避することができるため、警報状態における濃度の検知を正確に行うことができる。従って、警報状態であるにも係わらず、警報状態を解除してしまうことを回避することができる。
【００６３】
なお、上述した本実施の形態では、交流電源を電源とした場合について説明したが、本発明はこれに限定するものではなく、電池駆動式のガス警報装置に適用することで、警報状態時の消費電力の低減を図ることができる。
【００６４】
【発明の効果】
以上説明したように請求項１に記載した本発明のガス警報装置によれば、警報状態時に警報部の表示手段（表示部）と警報手段（ブザー）とによる警報を行っても、表示手段に給電しているときは警報手段に対する給電を停止し、かつ、表示手段に給電していないときは警報手段に対する給電を行うように制御しているので、装置の通常時に表示手段を点灯しているときとほぼ同一の消費電力にて、表示と警報音による警報を警報部にて行うことができる。従って、警報時であってもガス警報装置における通常時の消費電力にて表示と警報音による警報を行うことができるので、ガス検知手段と警報部とを同一の電源から給電していても、警報動作に応じてガス検知手段に印加される電圧が変化することを回避することができるため、警報状態における濃度の検知を正確に行うことが可能となり、警報状態であるにも係わらず、警報状態を解除してしまうことを回避することができるという効果を奏する。
【００６５】
また、電源からの間欠的な給電によって警報信号を外部機器に出力する装置の場合、警報信号の出力時は通常時よりも消費電力が増えることで、たとえガス検知手段に印加される電圧が変化しても、判定手段はこのとき警報状態であるか否かの判定を行わないので、ガス検知手段が検知した正確な濃度に対して判定を行うこととなり、正確に警報状態を検出することができる。従って、警報信号の出力期間中における被検ガスの濃度の検知を正確に行うことができるという効果を奏する。
【図面の簡単な説明】
【図１】本発明のガス警報装置の基本構成を示す図である。
【図２】本発明に係るガス警報装置の概略構成の一例を示す構成図である。
【図３】図２のＣＰＵが行う処理概要の一例を示すフローチャートである。
【図４】図２のＣＰＵが行う警報タスクの処理概要の一例を示すフローチャートである。
【図５】図２のＣＰＵが行う通報タスクの処理概要の一例を示すフローチャートである。
【図６】ガス警報装置の動作概要を説明するためのタイミングチャートである。
【符号の説明】
２            ガス検知手段（ガス検知部）
４ａ１        判定手段（ＣＰＵ）
４ａ２        制御手段（ＣＰＵ）
６            外部出力手段（外部出力回路）
７            警報部
７ａ          表示手段（表示部）
７ｂ          警報手段（ブザー）
【図１】
0003802739.tif 000002
【図２】
0003802739.tif 000003
【図３】
0003802739.tif 000004
【図４】
0003802739.tif 000005
【図５】
0003802739.tif 000006
【図６】
0003802739.tif 000007